(57)【要約】  本発明は、に関し、毛髪処理製品のレフィル（１０）を収容するための構造体と、１０ｇ／ｍｉｎより小さい体積流量で蒸気を毛髪に吐出するための蒸気発生器と、上記レフィルが収容構造体に取り付けられた場合に上記レフィルを検出するレフィル検出要素と、を備えている、毛髪を処理するためのデバイス（１）であって、デバイス（１）が、検出要素によってレフィル（１０）が検出されない場合に、レフィル未取付モードに移行するように構成されており、このレフィル未取付モードでの蒸気発生器の動作は、レフィルがあるときのそれの通常動作とは異なる。
2019535449.tif 000002
【特許請求の範囲】
【請求項１】
毛髪を処理するためのデバイス（１）であって、
−  毛髪処理製品のレフィル（１０）を収容するための収容構造体と、
−  １０ｇ／ｍｉｎより小さい体積流量で蒸気を毛髪に吐出するための蒸気発生器と、
−  前記レフィルが前記収容構造体に取り付けられた場合に前記レフィルを検出するためのレフィル検出要素（２６）と、
を備えている前記デバイス（１）において、
前記デバイス（１）が、前記レフィル検出要素（２６）によってレフィル（１０）が検出されない場合、レフィル未取付モード（２０８；３０８）に移行するように設計され、前記レフィル未取付モード（２０８；３０８）における前記蒸気発生器の動作が、レフィルが存在する場合における前記蒸気発生器の通常動作と相違する、デバイス。
【請求項２】
レフィル（１０）が前記収容構造体に取り付けられている場合に、前記レフィル未取付モード（２０８；３０８）から通常モード（２１０）に移行するように構成されている、請求項１に記載のデバイス。
【請求項３】
前記蒸気発生器が、前記レフィル未取付モード（２０８；３０８）において、より低いレベルで動作するか、又は動作しない、請求項１又は２のいずれか一項に記載のデバイス。
【請求項４】
前記デバイスが、少なくとも１つの加熱矯正プレート（５、６）を備えており、
前記蒸気発生器が前記レフィル未取付モード（２０８；３０８）である場合に、前記加熱矯正プレート（５、６）の温度が修正され、特に前記加熱矯正プレート（５、６）の温度調整範囲が縮減されるか、又は前記加熱矯正プレート（５、６）が動作停止される、請求項１から３のいずれか一項に記載のデバイス。
【請求項５】
前記デバイスが、処理すべき前記毛髪を覆って閉鎖される２本のアーム（２、３）を備えており、
前記デバイス（１）が、電子メモリを備えた電子制御回路を備えており、前記電子制御回路が、前記レフィル検出要素（２６）によって前記アーム（２、３）の閉鎖及び前記レフィル（１０）の装着を検出するように構成されており、
前記デバイス（１）が、前記デバイスの使用の際に前記レフィル（１０）が交換された後に、前記デバイスのメモリに格納された変数（ＩＬＳ＿ｎｂｒ）をインクリメントするように、且つ、前記変数（ＩＬＳ＿ｎｂｒ）が第１の所定の閾値（ｎ１）を超えた場合に、前記蒸気発生器及び／又は加熱矯正プレート（５、６）の動作が修正される最終仕上げ動作モード（２０８；３１０）に移行するように構成されている、請求項１から４のいずれか一項に記載のデバイス。
【請求項６】
前記レフィル未取付モード（２０８）における動作が、前記最終仕上げモード（２０８）における動作と同一である、請求項５に記載のデバイス。
【請求項７】
前記レフィル未取付モード（３０８）における動作が、前記最終仕上げモード（３１０）における動作と相違し、特に前記加熱矯正プレート（５、６）の温度が、前記最終仕上げモード（３１０）において修正され、前記加熱矯正プレート（５、６）が、前記レフィル未取付モード（３０８）において動作停止される、請求項５に記載のデバイス。
【請求項８】
前記レフィル検出要素（２６）が、機械式であって、特に接触器とされるか、又は他の種類であって、特に電子式、磁気式、及び／若しくは光学式とされる、請求項１から７のいずれか一項に記載のデバイス。
【請求項９】
前記レフィル検出要素（２６）が、前記収容構造体の挿入ガイドの内部に配設されている突出要素（２６ｃ）を備えており、
前記レフィル（１０）が前記挿入ガイドに挿入された場合には、前記レフィルの検出を可能とするために、前記レフィル（１０）が前記収容構造体に当接する、請求項１から８のいずれか一項に記載のデバイス。
【請求項１０】
請求項１から９のいずれか一項に記載の前記デバイスのための物品であって、前記デバイス（１）の前記レフィル検出要素（２６）によって前記物品の存在が検出されるように、前記収容構造体に取り外し可能に取り付けられるように構成されている、物品。
【請求項１１】
前記物品が、化粧製品を含んでいない、請求項１０に記載の物品。
【請求項１２】
前記物品が、前記収容構造体に固定するための固定手段（１４、１５）、特に前記物品が前記デバイスに装着された場合及び前記物品が前記デバイスから取り外された場合に、前記物品が挿入ガイドに沿って移動するように、前記収容構造体の前記挿入ガイドに係合する外形、好ましくは２つの外形要素（１４、１５）を備えている、請求項１０又は１１に記載の物品。
【請求項１３】
固定手段（１４、１５）が、前記固定手段（１４、１５）の断面の中央にＴ字状溝の全体形状を有している、請求項１０から１２のいずれか一項に記載の物品。
【請求項１４】
外形要素（１４、１５）のうち一方の外形要素が、前記レフィル（１０）を前記デバイス（１）の所定位置に維持するために、前記デバイス（１）のクリップ（２４）と係合するようになっている鉤状の保持突起（２３）を前記外形要素の近位端に備えている、請求項１０から１３のいずれか一項に記載の物品。
【請求項１５】
前記物品が、前記デバイスへの複数回の挿入及び前記デバイスからの複数回の取り外しを可能とされる、請求項１０から１４のいずれか一項に記載の物品。
【請求項１６】
前記物品が、前記デバイス（１）が前記毛髪を処理するために使用されている場合に、前記デバイスによって処理される毛髪の房及び／又は前記デバイスの押圧要素と接触しないように構成されている、請求項１０から１５のいずれか一項に記載の物品。
【請求項１７】
好ましくは毛髪を処理するための請求項１から９のいずれか一項に記載のデバイスのための一連のアクセサリであって、
前記一連のアクセサリが、少なくとも２つのアクセサリとされ、前記アクセサリのうち一方のアクセサリが、毛髪処理製品を含むレフィル（１０）とされ、前記アクセサリのうち他方のアクセサリが、請求項１０から１６のいずれか一項に記載の物品とされる、一連のアクセサリ。
【請求項１８】
請求項１から９のいずれか一項に記載のデバイス（１）と、請求項１０から１６のいずれか一項に記載の物品とから成る組立体であって、
前記デバイス及び前記物品が共に、最初に同一の包装に包まれている、組立体。
【発明の詳細な説明】
【技術分野】
【０００１】
本発明は、レフィルを使用して動作するデバイスに関し、より詳細には、ストレートアイロンなど、毛髪を処理するためのデバイスに関する。
【背景技術】
【０００２】
レフィルは、毛髪に塗布される製品を含み、任意選択で、製品がその上に堆積されることが意図された領域と接触するアプリケータをも含む。
【０００３】
製品の塗布と合わせた蒸気の発生により毛髪を処理するためのデバイスが知られている。蒸気は、毛髪上での製品の性能を高めることができる。
【発明の概要】
【課題を解決するための手段】
【０００４】
デバイスの動作は、それの不適切な使用を避けるために、レフィルがない場合に修正されることが望ましい。
【０００５】
その態様のうちの第１の態様によれば、本発明は、毛髪を処理するためのデバイスによってこの必要を満たし、このデバイスは、
−  毛髪処理製品のレフィルを収容するための構造体と、
−  １０ｇ／ｍｉｎより小さい体積流量で蒸気を毛髪に吐出するための蒸気発生器と、
−  上記レフィルが収容構造体に嵌め込まれるとき上記レフィルを検出するレフィル検出要素と
を備え、
このデバイスは、検出要素によってレフィルが検出されない場合、レフィル未取付モードに移行するように設計され、このレフィル未取付モードでの蒸気発生器の動作は、レフィルがあるときのそれの通常動作とは異なる。
【０００６】
好ましくは、デバイスは、レフィルが収容構造体に嵌め込まれるとき、レフィル未取付モードから、通常モードとしても知られる通常動作モードに移行するように構成される。
【０００７】
好ましくは、蒸気発生器は、レフィル未取付モードでは、より低いレベルで動作する、又は動作しない。「より低いレベルで動作する」という表現は、蒸気発生器によって放出される蒸気の量が、通常動作中よりも少ない、又はゼロであることを意味する。
【０００８】
デバイスは、好ましくは少なくとも１つの加熱矯正プレートを備える。蒸気発生器がレフィル未取付モードであるとき、加熱矯正プレートの温度は修正されてよく、加熱矯正プレートの温度調整範囲は縮小されてよく、又は加熱矯正プレートはオフに切り替えられてよい。
【０００９】
好ましくは、レフィル未取付モードにおいて、蒸気発生器はオフに切り替えられ、加熱矯正プレートの温度調整範囲は縮小される。従って、レフィルがない場合、デバイスは、蒸気なしで矯正することが依然として利用できるレフィル未取付モードで動作する。
【００１０】
変形態では、レフィル未取付モードにおいて、蒸気発生器及び加熱矯正プレートは、オフに切り替えられたままである。これにより、デバイスの中にレフィルがない場合にデバイスが完全に使用されないようにすることができる。
【００１１】
デバイスは、好ましくは、処理すべき毛髪を覆って閉鎖される２本のアームを備える。
【００１２】
デバイスは、検出要素によってアームの閉鎖及びレフィルの装着を検出するように設計された、電子メモリを備えた電子制御回路を含んでもよく、デバイスは、デバイスの使用中にレフィルが取り替えられた後で、デバイスのメモリに格納された変数をインクリメントするよう設計され、機器は、それの使用中にレフィルが取り替えられた後でメモリ内の変数をインクリメントするように、また上記変数が第１の所定の閾値を超えるときに、蒸気発生器及び／又は矯正プレートの動作が修正される最終仕上げ動作モード（「ダウングレード動作モード」としても知られる）に移行するように設計される。
【００１３】
最終仕上げモードのデバイスによってもたらされる機能は、レフィル未取付モードと同じであってもよい。
【００１４】
最終仕上げモードは、有利には、レフィルが使い果たされているにも関わらず、デバイスの使用を可能にし、この使用は、限定されてはいるものの、毛髪の処理を完了するには、又は最終仕上げ動作を実施するには十分である。
【００１５】
上述の変数は、アームの閉鎖回数に比例してよく、アームの閉鎖回数の何分の１かに、とりわけアームの閉鎖回数の５回ごとに１回に対応してよい。これにより、メモリのサイズ及び電子回路のコストを縮小することが可能になり得る。
【００１６】
変数は、アームが毛髪を覆って閉鎖される時間を組み込んでよく、これにより、レフィルが使い果たされている程度の推定に関する精度を上げることが可能になる。
【００１７】
デバイスは、レフィルが取り替えられたときに変数がリセットされるように設計されてよい。
【００１８】
デバイスは、変数が、デバイスへの電力供給が使用と使用との間に遮断される複数回の使用にわたって、第１の所定の閾値とは異なる、とりわけ第１の所定の閾値より低い第２の所定の閾値を超える場合、最終仕上げモードに移行するように設計されてよい。
【００１９】
デバイスは、デバイスの電力供給が遮断されずにデバイスがオフに切り替えられたときに変数の値が保持されるように設計されてよい。
【００２０】
好ましくは、最終仕上げモードにおいて、蒸気発生器はオフに切り替えられる。
【００２１】
好ましくは、最終仕上げモードにおいて、加熱矯正プレートの動作は修正され、とりわけ加熱矯正プレートの温度調整範囲は縮小される。
【００２２】
レフィル未取付モードでの動作は、最終仕上げモードでの動作とは異なってよく、とりわけ加熱矯正プレートの温度は、最終仕上げモードにおいて修正されてよく、加熱矯正プレートは、レフィル未取付モードにおいてオフに切り替えられてよい。
【００２３】
好ましくは、レフィル検出要素は機械によるものであり、とりわけ接触器であり、又は他の種類のもの、とりわけ電子、磁気、及び／又は光によるものである。検出は、検出要素とのレフィルの直接的接触によって、又は遠隔検出によって、もたらされてよい。
【００２４】
蒸気発生器は、蒸気生成用の電気抵抗器、及び／又は液体、とりわけ水の貯水器、及び／又はポンプを備えてよい。デバイスは、ハンドピース及びベースステーションを備えてよく、ベースステーションは、液体貯水器を備える。
【００２５】
好ましくは、収容構造体は、レフィル用の挿入ガイドを備える。この挿入ガイドは、レフィルがガイドに沿ったスライド移動によって装着及び取外しされるように設計されてよい。レフィルを装着するための他の移動もまた可能である。
【００２６】
検出要素は、少なくとも部分的にレフィル用の挿入ガイド内に配設されてよい。
【００２７】
例えば、検出要素は、挿入ガイド内に突出要素を備え、レフィルが挿入ガイドに挿入されるとき、レフィルはこれを圧迫する。突出要素は、検出要素に状態を変えさせるほど十分に突き出している。
【００２８】
変形態では、検出要素は、デバイス上の他の場所に位置している。
【００２９】
好ましくは、デバイスは、以前に使用された後に取り外されたレフィルの装着を機械的に防止するように構成されている。従って、レフィルは使い捨てされる。
【００３０】
好ましくは、使用済のレフィルの再使用を防止するために、収容構造体は、レフィルが初めてデバイスに装着されるときレフィルの使用メモリとして働く要素に作用するように配置された起伏を備え、要素が空間から後退している動作不能構成から、この要素が上記空間に突き出している動作可能構成にデバイスを移行させるようにし、収容構造体は、レフィルが収容構造体内に装着されつつある間及び収容構造体から取り外されつつある間に、上記要素が動作可能構成にあるとき上記要素を遮るように構成されたロック部材を備え、要素及びロック部材は、すでに使用されたレフィルを再挿入しようとする試みが行われる場合に、ロック部材が上記要素によってレフィルの取外し方向に通り越され得るように、かつ前記要素がレフィルの挿入方向に通過するのをロック部材が妨げるように、設計される。
【００３１】
上記の特徴は、レフィルがデバイス上で以前に使用されていた場合に、レフィルの装着を単純かつ効果的に阻止することを可能にするものである。
【００３２】
ロック部材は、それと接触する前記要素の進行方向に対して横断方向に移動することが可能であってよく、ロック部材は、好ましくは、初期位置に弾性によって戻される。それは、例えば、ばねワイヤを用いて、又はばねがそれに対して作用する可動部分によって、具現化される。
【００３３】
ロック部材が、それと接触する前記要素の進行方向に垂直な中心面について対称ではないことが可能である。
【００３４】
従って、ロック部材は、前記要素と接触するための接触面を有してよく、この接触面は、入口スロープを出口スロープより急峻にさせた、異なる入口スロープ及び出口スロープを有し、入口スロープは、前記要素の進行を妨げるストッパストッパを成すことによって、動作可能構成にある前記要素の通過を妨げ、出口スロープは、前記要素がレフィルの取外し方向に通過するときに、ロック部材を引っ込めるように前記要素がロック部材と係合するのを可能にする。ロック部材は、前記要素によって一方向に通り越される。
【００３５】
ロック要素は、すでに使用されたレフィルの場合、レフィルの導入中にレフィルをロックするより前に作動されるように、好ましくは、上述のロック部材の上流に位置する。デバイスは、レフィルの挿入が完了した後にのみ作動される、第２の接触器を備えてよい。
【００３６】
デバイスは、アームのうちの一方によってアームのヘッドと関節との間に支持された接触器、とりわけリードスイッチタイプの磁気接触器を、アームの閉鎖を検出するために備えてよい。
【００３７】
使用メモリとして働く要素は、さまざまな方途で具現化されてよい。例えば、要素は、レフィル内の対応するハウジング内に摩擦を伴って移動し、それによって、ハウジングに入れられた後に動作可能位置を維持することの可能な、ピンである。
【００３８】
前記要素は、レフィルの本体と一体成形されてよく、それによりその作製が簡単になる。
【００３９】
この場合、要素は、例えば、動作可能構成においてロック部材と協働する動作部分と、少なくとも動作不能構成において前記動作部分をレフィルの残りの部分に接続する接続部分とを有する。レフィルは、ハウジングを有してよく、動作部分は、前記要素が動作可能構成にあるとき、ハウジング内にとりわけスナップ式固定具によって固定されるように設計されてよい。
【００４０】
接続部分は、例えば、フィルムヒンジ、又は切り離し可能な材料ブリッジである。
【００４１】
一変形形態では、要素は、レフィルの本体上に関節を成すフックの形で具現化されてもよい。
【００４２】
本発明のさらなる主題は、上記で定義した毛髪処理デバイスのための物品であり、この物品は、その存在がデバイスの検出要素によって検出できるように、物品を収容するための構造体に取り外し可能に嵌め込まれるように構成される。
【００４３】
そのような物品は、デバイスがレフィル未取付モードに移行しないように、デバイス上のレフィルの存在をシミュレートすることを可能にする。従って、この物品によってユーザは、デバイスを通常モードで使用することができる。
【００４４】
好ましくは、物品は、化粧製品を含んでいない。従って、ユーザは、製品の塗布以外の、その機能のすべてを備えた機器を使用することができる。
【００４５】
レフィル未取付モードが、蒸気発生器をオフに切り替え、加熱矯正プレートがオンにされたままである動作モードに対応するとき、ユーザは、
−  デバイス上にレフィル又は物品がなく、蒸気又は化粧製品の塗布のないデバイス、
−  デバイス上に化粧製品を含んでいない物品があり、蒸気はあるが、化粧製品の塗布のないデバイス、又は
−  デバイス上にレフィルがあり、蒸気及び化粧製品の塗布のあるデバイス
を使用することができ、
詳細には、単にデバイス上のツール（物品又はレフィル）を取り替えることによって、デバイスに追加のプログラミングアクション又は制御部材の必要がなく、それによってデバイスの使用を簡単にする。
【００４６】
物品は、縦軸に沿って延びる細長い本体を有してよい。
【００４７】
物品は、本体と、上記本体に配設された、とりわけフェルトで作られた、吸収性要素とを備えてよい。
【００４８】
物品は、収容構造体、とりわけ外形に固定するための固定手段を備えてよい。この固定手段は、物品が機器に装着されるとき、及び物品が機器から取り外されるとき、物品がそれに沿って動く収容構造体の挿入ガイドに係合する外形、とりわけ２つの外形要素を備えてもよい。好ましくは、外形要素は、物品がデバイスに装着されるときの物品の挿入の方向に、及び／又は物品の縦軸に沿って延出する。
【００４９】
好ましくは、固定手段は、真ん中の断面がＴ字状溝の全体形状を有し、溝は、２つの外形要素間に作られる。
【００５０】
好ましくは、外形要素のうちの１つは、それの後方端部に、物品をデバイス上の所定の位置に保つためにデバイスのクリップと係合するように意図された鉤状の保持突起を備える。
【００５１】
好ましくは、物品が収容構造体に固定されている間、固定手段の存在は、検出要素によって検出される。
【００５２】
好ましくは、物品は、２回以上、デバイスに挿入され、デバイスから取り外されることが可能である。詳細には、物品は、それのデバイスへの挿入とデバイスからの取外しとの間で同じ構成を有する。物品は、好ましくは、使用メモリとして働く要素がなく、ロック部材と係合しない。従って、ロック部材は、物品の再挿入を妨げることができず、物品は、必要に応じて何度も使用され得る。これは、化粧製品がない場合、物品の再挿入を妨げる必要がないからである。
【００５３】
好ましくは、物品は、レフィルがそうであるように、収容構造体の対応する空間を占めるように構成される。
【００５４】
好ましくは、物品は、化粧製品を含んでいないことを除いて、レフィルの外観と実質的に同一の外観を有する。
【００５５】
好ましくは、物品は、デバイスが毛髪を処理するために使用されているとき、デバイスによって処理すべき毛髪の房と、及び／又はデバイスの押圧要素と、接触しないように構成される。
【００５６】
好ましくは、物品は、ＰＥＴ、ＰＢＴ、ＰＡ６，６、ＰＰ、ＰＯＭ、ＰＣ又はＳＡＮ、とりわけＰＥＴ、ＰＢＴ又はＰＡ６，６などの熱可塑性材料で作られる。
【００５７】
本発明のさらなる主題は、上記で定義した毛髪を処理するためのデバイス用の一連のアクセサリであり、少なくとも２つのアクセサリを含み、アクセサリの一方は、毛髪処理製品を含んでいるレフィルであり、アクセサリの他方は、本発明による物品である。
【００５８】
好ましくは、この範囲内で、レフィル及び物品は、同じ全体的な形状を有する。物品は、毛髪処理製品を含んでいないことを除いて、一般的にレフィルと同一であってよい。
【００５９】
レフィルは、使い果たされたレフィルの再使用を妨げる手段を備えるが、好ましくは物品には、再使用されることを可能にするために、その手段がない。
【００６０】
本発明のさらなる主題は、本発明によるデバイス及び本発明による物品を含む組立体であり、好ましくはデバイス及び物品が共に、最初に同一の包装に包まれている。
【００６１】
本発明のさらなる主題は、本発明によるデバイス又は上記で定義した組立体において蒸気発生器の動作を制御するための方法であって、この方法は、
−  デバイスの収容構造体でのレフィル又は物品の有無を検出するステップと、
−  蒸気発生器がレフィル未取付モードであり、デバイスの収容構造体でのレフィル又は物品の装着が検出されるとき、蒸気発生器を動作させる、又は動作可能にするステップと
を含む。
【００６２】
本発明は、非限定的例示的実施形態の次の詳細な説明を読むことにより、また添付の図面を調べることにより、よりよく理解できよう。
【図面の簡単な説明】
【００６３】
【図１】レフィルが装着された状態のデバイスの一例の斜視図を概略的に示す図である。
【図２】レフィルのない状態の図１のデバイスを示す図である。
【図３】上部アームのカバーが取り外された状態の図２のデバイスの一部分を示す図である。
【図４】レフィルの一例の部分図を概略的に示す図である。
【図５Ａ】変形レフィルの斜視図を概略的に示す図である。
【図５Ｂ】図５ＡのＶＢ−ＶＢ平面での断面図である。
【図５Ｃ】変形レフィルが使用された後の変形レフィルの斜視図を概略的に示す図である。
【図５Ｄ】図５ＣのＶＤ−ＶＤ平面での断面図である。
【図６Ａ】図４のレフィルの、デバイス上での使用前の側面図である。
【図６Ｂ】図４のレフィルの、デバイス上での使用後の側面図である。
【図７】本発明による変形レフィルの斜視図を概略的に示す図である。
【図８】図７のレフィルの概略長手方向断面図である。
【図９Ａ】図８のレフィルの、その使用前後の構成の変化を示す図である。
【図９Ｂ】図８のレフィルの、その使用前後の構成の変化を示す図である。
【図１０】デバイスの動作中に実施され得るアルゴリズムの一例を示す図である。
【図１１】デバイスの電子回路を非常に概略的に示す図である。
【図１２】デバイスの変形電子回路を非常に概略的に示す図である。
【発明を実施するための形態】
【００６４】
図中に示される例では、本発明が適用される、機器としても知られるデバイス１は、２本のアーム２、３を備え、それらが関節４によって接続されるとともにアームの対向する面上に加熱要素５、６を支持する、ストレートアイロンである。これらの要素５及び６は、矯正プレートを構成する。
【００６５】
このデバイス１は、レフィル１０を利用し、レフィル１０は、アームのうちの一方に、加熱要素のうちの一方に隣接して固定され、この場合は、上部アーム２に、加熱要素５に隣接して固定される。
【００６６】
図４にそれ自体が示されているレフィル１０は、塗布される製品、この場合は毛髪に塗布される化粧製品を含む、例えばＰＢＴで作られる本体１１を備える。
【００６７】
レフィル１０は、例えばフェルトなど、この製品を塗布するための塗布手段１３も備え、塗布手段１３は、デバイスが使用されている間に毛髪と接触する。レフィル１０は、レフィル１０をデバイスの収容構造体に固定するための手段１２を有し、その一部分のみが図２に示されている。
【００６８】
レフィル内に含まれた製品は、毛髪がアーム間を通過するときに毛髪に塗布され得る。
【００６９】
当該の例では、レフィルをデバイスに固定するための手段は、２つの外形要素１４及び１５を備え、それらは、対応するアーム上に設けられたガイド要素に挿入される。
【００７０】
レフィル１０がデバイス上に装着される場合、デバイスは、例えば、上部外形要素１５と協働するためのものである３つのガイド要素１７、１８、及び１９、ならびに下部外形要素１４と協働するためのものである２つのガイド要素２０及び２１を備える。
【００７１】
レフィル１０は、後部に、レフィルを定位置に保つべくクリップ２４と係合するためのものであるフック２３を備えてよく、このフック２３は、例えば、デバイスへのその挿入の最後に、クリップ２４内にスナップ式で固定され、プッシュ／プルタイプの機構又は同様のものによってそこから抜去することが可能である。
【００７２】
デバイスは、レフィル２０が存在するときにレフィル２０によって作動され、レフィルの存在を指示することを可能にする、電気接触器によって構成される検出要素２６を備える。この接触器は、レバー２６ａを備え、シール２６ｂがそれを押すことができ、上記シール自体は、プッシャ２６ｃによって作動される。
【００７３】
デバイス１は、ロック部材３０を備え、ロック部材３０の役割は、レフィル１０の、使用メモリとして働く要素３３と協働することである。
【００７４】
ロック部材３０は、この例では、板ばね３１によって弾性的に戻され、前部に、ガイド要素が取り付けられる壁部３５の面に実質的に垂直な縁部３４を有し、後部に、それほど急峻ではない縁部３７を有する。
【００７５】
ロック部材３０は、例えば、壁部３５内のスロット３６を通じて配設され、要素３３がレフィルの取外し方向に通過するときに、引っ込むことができる。
【００７６】
当該の例では、要素３３は、図５Ａ及び図５Ｂに見ることができるように、上部外形要素１５内の対応するハウジング４２に摩擦を伴って嵌め込まれる、ピンの形をとる。
【００７７】
その初期の動作不能構成が図５Ａ及び図５Ｂに示されている要素３３は、とりわけ図５Ｂ及び図６Ａに見ることができるように、レフィルが初めて使用されるより前には、２つの外形要素１４と外形要素１５との間に画定された空間４３内に突き出さない。
【００７８】
デバイス１は、レフィル１０が初めてデバイス上に装着される際に要素３３を移動させるように設計された、起伏を有する。
【００７９】
当該の例では、この起伏は、ロック部材３０の後縁部３７のところに位置するガイド要素１８のランプ４５によって形成される。従って、レフィルが初めて使用される際に外形要素１４及び１５がガイド要素内をスライドするとき、ランプ４５は、要素３３に次第に押し付けられて、要素３３をそのハウジング４２に押し込む。
【００８０】
従って、要素３３は、図５Ｄに示されるように、外形要素１４と外形要素１５との間の空間４３内に突き出す。
【００８１】
ロック部材３０は、レフィル１０がデバイス上に装着されるとき、外形要素１４と外形要素１５との間に係合する。従って、レフィル１０の挿入中、ロック部材３０はゾーンを掃行し、その中に要素３３が、図５Ｃ及び図５Ｄに示されるように、動作可能構成になると延出する。
【００８２】
ロック部材３０の後縁部３７のスロープは、レフィルの取外し中に要素３３がロック部材３０を、前記ロック部材３０を引っ込めてそれを通り越すために、変形させることのできるものが選択される。
【００８３】
接触器２６に対して作用するプッシャ２６ｃは、レフィル１０をデバイス１に導入する方向に関して、ロック部材３０の上流に位置する。従って、接触器２６は、ロック部材３０が、カートリッジの挿入を阻止するというその起こり得る作用を働かせる前であっても、作動される。
【００８４】
レフィルとデバイスによって形成されるこの組立体は、次のように動作する。
【００８５】
レフィル１０が初めてデバイス上に装着される際、ランプ４５が要素３３を、図５Ａ及び図５Ｂの構成から、図５Ｃ及び図５Ｄの構成に移動させる。この構成の変化は、レフィル１０の挿入方向の前縁部３４とランプ４５との間のオフセットのため、要素３３がロック部材３０の前縁部３４をすでに通り越したときに起こる。従って、ロック部材３０は、レフィル１０の装着を障害しない。
【００８６】
レフィル１０の取外し中、要素３３はロック部材３０を、その後縁部３７のスロープのため通り越すことができる。
【００８７】
しかし、レフィルを再装着しようという試みが行われる場合、要素３３がロック部材３０の前縁部３４に、この前縁部３４の大きなスロープのため突き当たり、それにより、この前縁部３４が要素３３によって通り越されることが妨げられる。従って、ユーザはレフィルを再使用することができない。
【００８８】
使用メモリとして働く要素３３は、図１から図６Ｂを参照して今しがた説明した、ハウジング内に摩擦を伴って移動することの可能なピンの助けを借りる以外の、さまざまな他の方途で具現化され得る。
【００８９】
従って、図７から図９Ｂに示されるように、下部外形要素１４内のハウジング５１に引っかかる端部部分５３と、端部部分５３をレフィルの本体に接続する接続部分５２とを備えるフックの形をとる、要素３３を具現化することが可能である。この実施形態では、要素３３を外形要素１４及び外形要素１５ならびにレフィル１０の本体と一体成形することによって、要素３３を形成することが可能になっている。
【００９０】
レフィル１０が初めて装着される際、デバイスのランプ４５が要素３３を、例えば要素３３の部分５２と部分５３との間に形成された肘部のところで押し、部分５３は、図９Ｂに示されるようにハウジング５１内にスナップ式で固定されることが可能である。
【００９１】
レフィル１０が装着されつつある間に、レフィル１０に対してロック部材３０がたどる経路が、この図中に破線によって示されている。
【００９２】
図９Ａは、図７及び図８の構成に対応する初期構成では、レフィルが初めて使用されるより前に、端部部分５３がロック部材３０の経路より上に位置しており、従ってレフィルの装着を障害しない、ということを示している。図９Ｂに示される動作可能構成では、端部部分５３は、ハウジング５１内にスナップ式で固定された後、ロック要素３０に突き当たることができる。
【００９３】
デバイス１は、図１０に概略的に示される電子回路１００を備え、電子回路１００は、例えばＥＥＰＲＯＭタイプの電子メモリ１０１を備える。この電子回路１００は、レフィル１０がデバイス上に装着されつつある間に作動される、接触器２６に接続される。電子回路１００は、蒸気生成用の少なくとも１つの電気抵抗器１０２、要素５、６を加熱するための１つ又は複数の電気抵抗器１０３、及び例えばプレートの温度を知ることを可能にする１つ又は複数の温度センサ１０４にも接続される。
【００９４】
例えばリードスイッチタイプのスイッチ１０５があると、デバイスの閉鎖状態又は開放状態を知ることが可能になる。スイッチ１０５は、例えば、アームのうちの一方上に配設され、２本のアーム２、３が閉鎖位置にあるときにスイッチ１０５の状態を変化させるように、アームのうちの他方上に磁石が配設される。スイッチ１０５は、電子回路１００へのアームの閉鎖回数の通知を可能にする。電子回路１００は、電力ケーブル１０６によってＡＣ電源、例えば１１０Ｖ又は２４０Ｖ電源に接続されるように、設計される。
【００９５】
電子回路１００は、１つ又は複数のボードの形をとってよく、そのうちのあるものは、ハンドピース内に配設されてよく、そのうちの他のものは、例えば貯水器及びポンプを含むことによって蒸気生成するのに役立つベースステーションをデバイスが有しているときにそのようなベースステーション内に配設されてよい。
【００９６】
蒸気は、好ましくは１０ｇ／ｍｉｎより小さい体積流量で生成される。
【００９７】
電子回路１００は、好ましくは図１１のダイアグラムに従ってデバイスの動作を制御するアルゴリズムを実行するようにプログラムされた、マイクロコントローラなど、少なくとも１つの構成要素を備える。
【００９８】
電子回路１００は、ケーブル１０６が電源に接続されると給電され、デバイスがオフに切り替えられているときのレフィルの装着を検出することができる。デバイスのケーブル１０６を電源に接続するステップ２０１により、ステップ２０２において、接触器２６のおかげで、ステップ２０３において対応するボタンを押すことによってデバイス１がオンに切り替えられるより前に、レフィル１０の起こり得る挿入を検出することが可能になる。
【００９９】
ステップ２０２においてレフィルの挿入が検出された場合、デバイス１がまだ始動されていないにも関わらず、ステップ２０４においてアームの閉鎖回数を表す変数ＩＬＳ＿ｎｂｒが初期化される。
【０１００】
ステップ２０３においてデバイスがオンに切り替えられると、ステップ２０５においてレフィルの存在の検出が実施される。レフィルが装着されていない場合（これはダイアグラム中の分岐２０６に相当する）、ステップ２０７において変数ＩＬＳ＿ｎｂｒが初期化され、デバイス１の動作が最終仕上げモードで行われ、これについては、図１１のブロック２０８によって概略的に示されている。この最終仕上げモードでは、温度が非調整可能となるように予め定義され、例えば、１８０℃という値に設定され、蒸気の発生が妨げられて動作されず、対応する状態がユーザに、例えばＬＥＤの点滅又は音響信号の発出によって合図される。
【０１０１】
デバイス１は、ステップ２０９においてレフィルが場合によっては挿入されるまで、この最終仕上げモードにとどまり、挿入された場合、デバイスは、図１１にブロック２１０によって描かれる通常モードで動作し、通常モードでは、温度がユーザによって、メモリ内に格納された、通常モードでの最終使用値に対応するデフォルト値から開始して、調整され得る。蒸気発生器が動作され、対応する状態がユーザに、例えば上述のＬＥＤが非点滅式に照明されることによって合図される。
【０１０２】
通常モードでは、ステップ２１１において、電子回路１００が、処理すべき毛房上でのアーム２、３の閉鎖を検出し、それによって、変数ＩＬＳ＿ｎｂｒが、閉鎖回数を表す数だけインクリメントされる。メモリ空間を節約するために、この変数は、好ましくは、ｎ回の閉鎖ごとに１回インクリメントされ、ここで例えばｎ＝５である。従って、５回の閉鎖ごとに１回、変数ＩＬＳ＿ｎｂｒが５単位だけインクリメントされる。
【０１０３】
ステップ２１１では、ユーザがプレートのセットポイント加熱温度を修正できるようにすることも可能である。必要なら、蒸気の発生用に残っている水の分量が、対応する警報をトリガするために検出され得る。
【０１０４】
ステップ２１２では、変数ＩＬＳ＿ｎｂｒが所定の閾値ｎ１より小さいか否かについてのチェックが行われ、ここで例えばｎ１＝１６０である。変数ＩＬＳ＿ｎｂｒがｎ１より小さい場合、レフィル内の化粧用組成物は、使い果たされていないと考えられ、デバイス１は、図１１に分岐２１３によって概略的に示されるように、通常モードで動作し続けることができる。変数ＩＬＳ＿ｎｂｒの値が、分岐２１５によって描かれるように、閾値ｎ１以上になる場合、デバイスは、図１１のブロック２０８に相当する最終仕上げモードに再び移行する。従って、プレートのセットポイント加熱温度が、最終仕上げモードの所定の値に戻り、蒸気発生器の動作が中断され、対応する状態が、点滅するＬＥＤの表示によって合図される。
【０１０５】
デバイス１が、その電力供給が切断されずに停止され（これについてはステップ２１６に概略的に示されている）、次いでステップ２１７においてデバイス１が始動された場合、ステップ２１８において変数ＩＬＳ＿ｎｂｒの格納値が読み取られる。この値が、図１１に分岐２１９によって描かれるように閾値ｎ１より小さい場合、デバイスは、ブロック２１０によって描かれる通常モードを維持する。変数ＩＬＳ＿ｎｂｒの格納値が、閾値ｎ１以上である場合、デバイスは、分岐２２１及びブロック２０８によって描かれるように、最終仕上げモードに移行する。
【０１０６】
分岐２２０及びステップ２２３によって描かれるように、デバイスがオンであるときにユーザがレフィルを取り外す場合、ステップ２２４において変数ＩＬＳ＿ｎｂｒが再初期化され、デバイス１は最終仕上げモードに移行する。
【０１０７】
好ましくは、デバイス１は、不使用の、すなわちアーム２、３の閉鎖が検出されない期間が長期にわたる場合、ステップ２１０においてオンボタンが押されるまで、ステップ２３０においてスリープモードに移行するように設計される。
【０１０８】
ブロック２３１は、デバイス１が切断される場合を概略的に示しており、この場合、デバイス１が再接続されると、図１１のアルゴリズムは、上で説明したステップ２０１に戻る。
【０１０９】
ステップ２０５におけるテストに話を戻すと、ステップ２０３において、レフィル１０がすでに装着された状態でデバイス１が始動される場合（これは図１１の分岐２３４に相当する）、ステップ２３５において変数ＩＬＳ＿ｎｂｒの値が読み取られ、この値が、閾値ｎ１とは異なる、とりわけ閾値ｎ１より小さい第２の閾値ｎ２と比較される。閾値ｎ２は、例えば２０に等しい。変数ＩＬＳ＿ｎｂｒの値がｎ２以上である場合、ステップ２０８において、デバイスは最終仕上げモードに移行する。従って、これにより、アームの開放及び閉鎖がすでにかなりの回数あるデバイスをユーザが切断し、次いで再接続した場合に、デバイスを通常モードで動作させることが回避される。というのも、ユーザが、レフィルの使用を開始しており、次いで、デバイスの切断はしばしばデバイスがしまい込まれていたことを意味するので、処理を再開する前に無視できない時間期間の経つままにしておいた可能性が高いため、である。過度に時間の間隔を空けて使用する場合、レフィル内に含まれた化粧用組成物が蒸発するおそれがあり、その結果、レフィルの効果が減少する。
【０１１０】
変数ＩＬＳ＿ｎｂｒが、第２の閾値ｎ２より真に小さい場合、デバイスは、図１１の分岐２３７及びブロック２１０に相当する通常モードで動作することができる。
【０１１１】
本発明は、図示したアルゴリズムに限定されない。
【０１１２】
詳細には、図１２に示す変形態では、上記で説明したステップ２０８は、デバイス１がレフィル未取付モードで作動されるステップ３０８に置き換えることができる。このレフィル未取付モードでは、加熱プレートはオフに切り替えられ、蒸気の発生が妨げられて動作されず、対応する状態がユーザに、例えばＬＥＤの点滅又は音響信号の発出によって合図される。デバイス１は、レフィルが場合によってはステップ２０９において挿入されるまで、このレフィル未取付モードのままである。ステップ２１２及びステップ２１８において、変数ＩＬＳ＿ｎｂｒの値が、それぞれ分岐３１５及び分岐３２１によって描かれるように、閾値ｎ１以上になる場合、デバイスは、図１２のブロック３１０に相当する最終仕上げモードに移行する。デバイス１は、レフィルがステップ２２３において取り外されるまで、このモードのままである。ステップ２２４において、変数ＩＬＳ＿ｎｂｒは再初期化され、デバイス１は、図１２の分岐３２４に相当するレフィル未取付モードに移行する。
【０１１３】
アームの閉鎖回数だけでなく、処理すべき毛房の長さを表すことのある毛髪上でのアームの閉鎖の持続時間も計数することが、有利となることもある。こうすることにより、レフィル内の化粧用組成物が使い果たされている程度をより正確に決定し、従って、レフィルを交換する必要があることをより精確にユーザに合図することが可能になり得る。
【０１１４】
アームの閉鎖の持続時間を決定するために、デバイスの電子回路１００には、有利には、図１１に点線によって示されるクロック１１０が、好ましくはクロックメモリ内にデータを保存するためのバッテリが備わった状態で、設けられる。
【０１１５】
当該の例では、最終仕上げモードは、加熱プレートの所定の温度における、蒸気発生器なしの動作に対応する。
【０１１６】
本発明の変形実施形態では、最終仕上げモード及び／又はレフィル未取付モードが異なり、例えば、依然として加熱プレートの温度を調整できる可能性のある動作に対応し、これは、好ましくは、蒸気の存在下でよりも限定されたものである。
【０１１７】
図示されていない一変形形態では、デバイスは、装着されたレフィルの性質を、例えばレフィル上の１つ又は複数の起伏が情報を符号化しており、その情報が、デバイス上に存在する１つ又は複数の対応する接触器によって読み取られるおかげで、特定できるように設計される。この場合、例えば、レフィルの性質に応じてレフィルごとに別様に化粧用組成物が使い果たされるという事実を考慮に入れるために、レフィルの性質に応じて、閾値、とりわけ第１の閾値ｎ１を修正することが可能である。
【０１１８】
一変形形態では、レフィルが対応するアーム上に存在する持続時間を格納することも可能である。こうすることにより、とりわけ、その化粧用組成物が例えばその蒸発のためその効果を失っている可能性のあるレフィルを用いてユーザが処理を実施してしまう状況を回避するために、ある一定の持続時間を超えたところで、デバイスを強制的に最終仕上げモードに移行させることが可能になり得る。
【０１１９】
レフィル１０は、使用メモリとして働く要素及び化粧製品を除いてレフィル１０と同じ構造体を有する物品と交換されてよく、使用メモリとして働く要素及び化粧製品は物品にはない。従って、レフィル１０と同様にしてデバイスに固定された場合に、物品は、レフィル１０と同様にして検出要素２６に作用する。
【０１２０】
言うまでもなく、本発明は、今しがた説明した例に限定されない。
【０１２１】
要素３３は、例えば、隣接する外形要素に１つ又は複数の切り離し可能な材料ブリッジによって接続された状態で、隣接する外形要素と一緒に成形されることによって、作製される。要素３３は、動作可能構成になった後は、摩擦のみによって、又は別法として、対向する外形要素内にスナップ式で固定することによって、保たれ得る。
【０１２２】
本発明を、スライド移動によってデバイス上に装着されるレフィルに関連して示してきたが、本発明は、単なるスライド移動以外の移動、例えば回転移動、又は例えば並進及び回転成分を含むより複雑な移動によって装着されるレフィルにも適用される。
【０１２３】
レフィルの装着を検出する検出要素２６は、アーム上のどこに位置してもよく、とりわけ、フック２３と協働するプッシュ／プルタイプの機構内に存在してよい。
【０１２４】
検出要素２６は、アームが閉鎖されるときに塗布手段１３が押される押圧要素の下に位置してもよい。
【０１２５】
検出要素２６は、接触器以外の何かであってよく、例えば、レフィル１０によるビームの反射によってレフィル１０の存在を検出する光検出器、レフィルがデバイスに嵌め込まれるとき面するレフィル上にある磁気もしくは導電性要素の存在を検出する磁気検出器、又は、レフィル１０がデバイスに嵌め込まれるとき、レフィルの導電性要素の接触を検出する電気的検出器であってよい。
【０１２６】
ロック部材３０は、旋回軸の周りに関節を成し、コイルばねによってその初期位置に戻される、プラスチック部分として作製されてもよい。
【０１２７】
カートリッジの外形の形状は、図示の全体的なＴ字形状とは異なっていてよく、要素３３は、２つの外形要素間に画定される空間方向以外の何らかの向きに移動されてよく、例えば、要素３３は、Ｔ字の柄に平行な方向に移動されてよい。
【０１２８】
物品は、レフィルとは異なる構造体を有してよい。例えば、物品はフェルトがなく、レフィル上のフェルトのために通常設けられるハウジングは開いている、又は閉じている。物品は、アームが閉鎖されるとき、毛髪又は押圧要素と接触しないが、レフィルとして検出されるために検出要素に作用する部分であってよい。
【０１２９】
物品は、レフィルとは異なる材料から作られてよい。
【０１３０】
必要なら、レフィルが装着できない理由をユーザに、例えばスクリーン上にメッセージが表示されることによって、又はインジケータライトが照明されることによって合図するために、動作可能構成にある、すなわちレフィルがすでに使用された後の要素３３の存在が、デバイス上にカートリッジを装着しようとする試みが行われる場合に、例えば機械センサ又は光センサのおかげで自動的に検出されてよい。
【符号の説明】
【０１３１】
１  デバイス
２  上部アーム
３  アーム
４  関節
５  加熱要素
６  加熱要素
１０  レフィル
１１  本体
１２  手段
１３  施与手段
１４  下部外形要素
１５  上部外形要素
１７  ガイド要素
１８  ガイド要素
１９  ガイド要素
２０  ガイド要素
２１  ガイド要素
２３  フック
２４  クリップ
２６  検出要素、接触器
２６ａ  レバー
２６ｂ  シール
２６ｃ  プッシャ
３０  ロック部材、ロック要素
３１  板ばね
３３  要素
３４  前縁部
３５  壁部
３６  スロット
３７  後縁部
４２  ハウジング
４３  空間
４５  ランプ
５１  ハウジング
５２  接続部分
５３  端部部分
１００  電子回路
１０１  電子メモリ
１０２  電気抵抗器
１０３  電気抵抗器
１０４  温度センサ
１０５  スイッチ
１０６  電力ケーブル
１１０  クロック
ＩＬＳ＿ｎｂｒ  変数
ｎ１  所定の閾値、第１の閾値
ｎ２  閾値、第２の閾値
【図１】
2019535449.tif 000003
【図２】
2019535449.tif 000004
【図３】
2019535449.tif 000005
【図４】
2019535449.tif 000006
【図５Ａ】
2019535449.tif 000007
【図５Ｂ】
2019535449.tif 000008
【図５Ｃ】
2019535449.tif 000009
【図５Ｄ】
2019535449.tif 000010
【図６Ａ】
2019535449.tif 000011
【図６Ｂ】
2019535449.tif 000012
【図７】
2019535449.tif 000013
【図８】
2019535449.tif 000014
【図９Ａ】
2019535449.tif 000015
【図９Ｂ】
2019535449.tif 000016
【図１０】
2019535449.tif 000017
【図１１】
2019535449.tif 000018
【図１２】
2019535449.tif 000019
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
毛髪を処理するためのデバイス（１）であって、
−  毛髪処理製品のレフィル（１０）を収容するための収容構造体と、
−  １０ｇ／ｍｉｎより小さい体積流量で蒸気を毛髪に吐出するための蒸気発生器と、
−  前記レフィルが前記収容構造体に取り付けられた場合に前記レフィルを検出するためのレフィル検出要素（２６）と、
を備えている前記デバイス（１）において、
前記デバイス（１）が、前記レフィル検出要素（２６）によってレフィル（１０）が検出されない場合、レフィル未取付モード（２０８；３０８）に移行するように設計され、前記レフィル未取付モード（２０８；３０８）における前記蒸気発生器の動作が、レフィルが存在する場合における前記蒸気発生器の通常動作と相違する、デバイス。
【請求項２】
レフィル（１０）が前記収容構造体に取り付けられている場合に、前記レフィル未取付モード（２０８；３０８）から通常モード（２１０）に移行するように構成されている、請求項１に記載のデバイス。
【請求項３】
前記蒸気発生器が、前記レフィル未取付モード（２０８；３０８）において、より低いレベルで動作するか、又は動作しない、請求項１又は２のいずれか一項に記載のデバイス。
【請求項４】
前記デバイスが、少なくとも１つの加熱矯正プレート（５、６）を備えており、
前記蒸気発生器が前記レフィル未取付モード（２０８；３０８）である場合に、前記加熱矯正プレート（５、６）の温度が修正される、請求項１から３のいずれか一項に記載のデバイス。
【請求項５】
前記加熱矯正プレート（５、６）の温度調整範囲が縮減されるか、又は前記加熱矯正プレート（５、６）が、前記蒸気発生器が前記レフィル未取付モード（２０８；３０８）にある場合に動作停止される、請求項４に記載のデバイス。
【請求項６】
前記デバイスが、処理すべき前記毛髪を覆って閉鎖される２本のアーム（２、３）を備えており、
前記デバイス（１）が、電子メモリを備えた電子制御回路を備えており、前記電子制御回路が、前記レフィル検出要素（２６）によって前記アーム（２、３）の閉鎖及び前記レフィル（１０）の装着を検出するように構成されており、
前記デバイス（１）が、前記デバイスの使用の際に前記レフィル（１０）が交換された後に、前記デバイスのメモリに格納された変数（ＩＬＳ＿ｎｂｒ）をインクリメントするように、且つ、前記変数（ＩＬＳ＿ｎｂｒ）が第１の所定の閾値（ｎ１）を超えた場合に、前記蒸気発生器及び／又は加熱矯正プレート（５、６）の動作が修正される最終仕上げ動作モード（２０８；３１０）に移行するように構成されている、請求項１から５のいずれか一項に記載のデバイス。
【請求項７】
前記レフィル未取付モード（２０８）における動作が、前記最終仕上げモード（２０８）における動作と同一である、請求項６に記載のデバイス。
【請求項８】
前記レフィル未取付モード（３０８）における動作が、前記最終仕上げモード（３１０）における動作と相違する、請求項６に記載のデバイス。
【請求項９】
前記加熱矯正プレート（５、６）の温度が、前記最終仕上げモード（３１０）において修正され、前記加熱矯正プレート（５、６）が、前記レフィル未取付モード（３０８）において動作停止される、請求項８に記載のデバイス。
【請求項１０】
前記レフィル検出要素（２６）が、機械式とされるか、又は他の種類とされる、請求項１から９のいずれか一項に記載のデバイス。
【請求項１１】
前記レフィル検出要素（２６）が、前記収容構造体の挿入ガイドの内部に配設されている突出要素（２６ｃ）を備えており、
前記レフィル（１０）が前記挿入ガイドに挿入された場合には、前記レフィルの検出を可能とするために、前記レフィル（１０）が前記収容構造体に当接する、請求項１から１０のいずれか一項に記載のデバイス。
【請求項１２】
請求項１から１１のいずれか一項に記載の前記デバイスのための物品であって、前記デバイス（１）の前記レフィル検出要素（２６）によって前記物品の存在が検出されるように、前記収容構造体に取り外し可能に取り付けられるように構成されている、物品。
【請求項１３】
前記物品が、化粧製品を含んでいない、請求項１２に記載の物品。
【請求項１４】
前記物品が、前記収容構造体に固定するための固定手段（１４、１５）を備えている、請求項１２又は１３に記載の物品。
【請求項１５】
前記固定手段（１４、１５）が、前記物品が前記デバイスに装着された場合及び前記物品が前記デバイスから取り外された場合に、前記物品が挿入ガイドに沿って移動するように、前記収容構造体の前記挿入ガイドに係合する２つの外形要素（１４、１５）とされる、請求項１４に記載の物品。
【請求項１６】
固定手段（１４、１５）が、前記固定手段（１４、１５）の断面の中央にＴ字状溝の全体形状を有している、請求項１４又は１５に記載の物品。
【請求項１７】
外形要素（１４、１５）のうち一方の外形要素が、前記レフィル（１０）を前記デバイス（１）の所定位置に維持するために、前記デバイス（１）のクリップ（２４）と係合するようになっている鉤状の保持突起（２３）を前記外形要素の近位端に備えている、請求項１５に記載の物品。
【請求項１８】
前記物品が、前記デバイスへの複数回の挿入及び前記デバイスからの複数回の取り外しを可能とされる、請求項１２から１７のいずれか一項に記載の物品。
【請求項１９】
前記物品が、前記デバイス（１）が前記毛髪を処理するために使用されている場合に、前記デバイスによって処理される毛髪の房及び／又は前記デバイスの押圧要素と接触しないように構成されている、請求項１２から１８のいずれか一項に記載の物品。
【請求項２０】
毛髪を処理するためのデバイスのための一連のアクセサリであって、
前記一連のアクセサリが、少なくとも２つのアクセサリとされ、前記アクセサリのうち一方のアクセサリが、毛髪処理製品を含むレフィル（１０）とされ、前記アクセサリのうち他方のアクセサリが、請求項１２から１９のいずれか一項に記載の物品とされる、一連のアクセサリ。
【請求項２１】
請求項１から１１のいずれか一項に記載のデバイス（１）と、請求項１２から１９のいずれか一項に記載の物品とから成る組立体。
【国際調査報告】
2019535449.tif 000020
2019535449.tif 000021